Podtech/llm-jp-corpus-v4-ja_patent huggingface dataset:
(57)【要約】【課題】本考案は、足の指先のみならず、足全体の運動機能を高め、健康増進を図る運動靴を提供することを目的とする。【解決手段】靴のつま先部分に、足の親指と他の足指との指股がやや開いた状態で保持されるよう、僅かに先拡がりの略Ｖ字状又は略Ｕ字状の隔壁Ａがある運動靴において、靴底の上面の踵に接する部分は凹曲面Ｂを形成し、靴底の上面の土踏まずに接する部分は凸曲面Ｃを形成してなることを特徴とする運動靴であり、運動靴を履いた状態で足先の親指と他の足指が隔壁Ａで隔離されて、足の踵部が凹曲面Ｂに密着し、足の土踏まずが凸曲面Ｃに密着して、足全体が靴にしっくりなじむようにする。【選択図】図１
0003120757.tif 000002
【実用新案登録請求の範囲】
【請求項１】
靴のつま先部分に、足の親指と他の足指との指股がやや開いた状態で保持されるよう、僅かに先拡がりの略Ｖ字状又は略Ｕ字状の隔壁がある運動靴において、靴底の上面の踵に接する部分は凹曲面を形成し、靴底の上面の土踏まずに接する部分は凸曲面を形成してなることを特徴とする運動靴。
【考案の詳細な説明】
【技術分野】
【０００１】
本考案は、足全体の運動機能を高め、健康増進を図ることができる運動靴に関するものである。
【背景技術】
【０００２】
本考案者は、足の第１指と第２指の間に略Ｖ字状の開先を設け、略Ｖ字状の開先は、その開いた状態が保持できるよう硬質の素材で形成された外反母趾防止用履物を開示している（例えば、特許文献１参照。）。
【０００３】
又、つま先部分の股部により、親指部と四指部とに分割形成されてなる運動靴であって、靴内部の前記親指部と四指部との接合部位に柔軟素材が設けられた股部を有することを特徴とする運動靴が出願され、公開されている（例えば、特許文献２参照。）。
【０００４】
さらに、靴の内側部分であって、親指と第二指の股が位置する部分に、靴の爪先部分を内部的に二分する間仕切りを設けてなることを特徴とする靴（例えば、特許文献３参照。）、あるいは、靴の内部に足袋様の指股隔壁を形成し、身体の運動機能の向上と足の障害を予防する靴も公開されている（例えば、特許文献４参照。）。
【０００５】
【特許文献１】実用新案登録第３１１２５０２号公報
【特許文献２】実開平７−９１０３号公報
【特許文献３】実開平６−８９２０３号公報
【特許文献２】特開平９−４７３０２号公報
【考案の開示】
【考案が解決しようとする課題】
【０００６】
しかしながら、足先の親指と他の足指との指股に仕切りや、隔壁を設けることでつま先部の安定が図られ、足指の踏ん張りは強化されるが、足全体の運動機能の向上を図るには充分といえない問題がある。
【課題を解決するための手段】
【０００７】
本考案は、靴のつま先部分に、足の親指と他の足指との指股がやや開いた状態で保持されるよう、僅かに先拡がりの略Ｖ字状又は略Ｕ字状の隔壁がある運動靴において、靴底の上面の踵に接する部分は凹曲面を形成し、靴底の上面の土踏まずに接する部分は凸曲面を形成してなることを特徴とする運動靴である。
足の親指と他の足指との指股がやや開いた状態で保持されていることから、足指に力が入り、歩行に際して十分な力が入り、特に坂道などでの滑ったり転んだりする危険が防止できる。また、靴底の土踏まずと踵部分が足裏と密着できることから足に力が入り易くなり、長時間の歩行でも足が疲労しない。
【考案の効果】
【０００８】
本考案は、足の親指とその他の足指との指股を拡げ、足裏の踵と土踏まずの部分がうまく密着するよう曲面を形成したものであるから、足の指先のみならず、足全体の運動機能を高めるのに効果を奏すると共に、健康増進も図られる。
【考案を実施するための最良の形態】
【０００９】
以下、添付図面に従って本考案を実施するための最良の形態を説明する。
図１は、本考案の要部断面を示す斜視図である。靴先内に足の親指と他の足指との指股が多少開いた状態で保持されるべく、僅かに先拡がりの略Ｖ字状又は略Ｕ字状の隔壁Ａがある運動靴において、足裏の踵部がうまく密着すべく凹曲面Ｂと、足裏の土踏まずの凹みに密着すべく凸曲面Ｃを設け、上面は紐３で結べるようにしてなる運動靴である。
【００１０】
図２は、足裏の踵部と、足の土踏まずの凹み部に位置する靴の要部断面図である。靴底１は、合成ゴム等で踵部の凹曲面Ｂと、土踏まずの凸曲面Ｃが形成され、その上に足を包囲すべく縫着された靴本体２が貼着され、靴本体２の上面は靴紐３で結べるようにしてある。
【００１１】
図３は、以上のようにしてなる運動靴を履いた状態を示す。足先の親指４と、他の足指が隔壁Ａで隔離された状態にあり、足裏の踵部５が前記靴底の凹曲面Ｂと密着し、足裏の土踏まず６が前記靴底の凸曲面Ｃと密着して、足全体が靴にしっくりなじみ運動しやすい状態となる。
以上、実施の形態は、片方の足のみで図示してあるが、実際は左右両足用で一組となる。
【図面の簡単な説明】
【００１２】
【図１】本考案の実施例を示す要部断面図である。
【図２】足裏の踵、土踏まず部位の靴の要部断面図である。
【図３】靴を履いた状態を示す要部断面図である。
【符号の説明】
【００１３】
１  靴底
２  靴本体
３  靴組
４  足先の親指
５  足裏の踵部
６  足裏の土踏まず
Ａ  隔壁
Ｂ  凹曲面
Ｃ  凸曲面
【図１】
0003120757.tif 000003
【図２】
0003120757.tif 000004
【図３】
0003120757.tif 000005
(57)【要約】      （修正有）【課題】自由自在に変形維持、変形復元出来るマクラ又はクッションを提供する。【解決手段】マクラ又はクッションに変形維持、変形復元する芯材を用いる事により、不安定な場所にでも設置し多様な面で使用出来る。芯材の種類、大きさはマクラ、クッション等の種別に応じて対処する。【選択図】図１
0003120753.tif 000002
【実用新案登録請求の範囲】
【請求項１】
外側の袋状の被覆材と、この被覆材の内部に詰められるクッション材と、このクッション材の内部、又は外部に配置し、人の手の力で自在に形が変えられ、形を変形維持、変形復元出来る芯材を有することを特徴とするマクラ又はクッション。
【請求項２】
前記芯材は、形状記憶ポリマー、又は変形出来る金属であることを特徴とする請求項１記載のマクラ又はクッション。
【考案の詳細な説明】
【技術分野】
【０００１】
この考案は、背上げベット、リクライニング椅子、手置き等に用いるマクラ、クッションの構造に関する。
【背景技術】
【０００２】
従来のマクラ又はクッション等は図３に示すように、曲げたり変形させて好みの形を維持し使用出来ない為、滑り落ちていた。
【考案の開示】
【考案が解決しようとする課題】
【０００３】
しかしながら、以上の技術によれば、変形させても戻りやすく、特に過度な変形をさせた場合には元の形状に戻りやすかった。特に角度のある所には、安定した設置ができなかった。
そこで、この考案は、自由自在に変形維持、変形復元出来るマクラ又はクッションを提供することを課題とする。
【課題を解決するための手段】
【０００４】
以上の課題を解決するために、第一考案は、外側の袋状の被覆材と、この被覆材の内部に詰められるクッション材と、このクッション材の内部、又は外部に配置され、人の手の力で自在に形が変えられ、形を変形維持、変形復元出来る芯材を有することを特徴とするマクラ又はクッション。
また、第二考案は、形状記憶ポリマー、又は変形出来る金属であることを特徴とするマクラ又はクッション。
【考案の効果】
【０００５】
第一の考案、第二の考案によれば、マクラ又はクッションを変形維持、変形復元する事により、不安定な場所にでも設置し使用出来る。
【考案を実施するための最良の形態】
【０００６】
この考案の一実施形態を、図１に示す。
マクラ又はクッションの本体の被覆材（１）は布、皮、ビニールであり、この本体の内部クッション材（２）は綿、ウレタンを用い、変形維持と変形復元が出来る形状記憶ポリマー、又は変形出来る金属芯材（３）が設けられている。
【０００７】
「実施形態の効果」
この実施形態によれば、芯材の働きにより好みの形に変形し、それを維持する事が出来る。したがって不安定な場所でも設置する角度等に合わせ安定感を得られます。よって介護等にも用途が広がり多様な使用方法があります。
【０００８】
「他の実施形態」
図１の実施形態では、芯材が一方向に一本であったが、他の実施形態では、様々な方向に複数の芯材を入れ、マクラ、クッション外観寸法を変更したものでも良い。又は芯材を被覆材に設けたものでもいい。
【図面の簡単な説明】
【０００９】
【図１】この考案の断面図である。
【図２】この考案の変形時を示す斜視図である。
【図３】従来技術を示す斜視図である。
【符号の説明】
【００１０】
１．被覆材          ２．クッション材
３．芯材
【図１】
0003120753.tif 000003
【図２】
0003120753.tif 000004
【図３】
0003120753.tif 000005
(57)【要約】      （修正有）【課題】ラビューム、ブロック、ウインドウエイなどからなる歌口を有する管楽器としてのリコーダーを提供する。【解決手段】リコーダーにおける歌口において、ラビューム側と口でくわえる側のウインドウエイの断面積において、ウインドウエイの横幅が同一の場合、ウインドウエイの縦幅が、ラビューム側よりも口でくわえる側の縦幅が相対的に大きくなるようにし、楽器としての音発生用ウインドウエイの軸方向長さを必要最小限となるように比較的短く構成する。【選択図】図２
0003120720.tif 000002
【実用新案登録請求の範囲】
【請求項１】
ラビューム２、ブロック３、ウインドウエイ４などからなる歌口１を有する管楽器としてのリコーダーにおいて、歌口１におけるラビューム２側と口でくわえる側８のウインドウエイ４の断面積として、ウインドウエイ４の横幅が同一の場合、ラビューム２側よりも口でくわえる側８のウインドウエイ４の縦幅が相対的に大きいブロック３を構成配置した歌口１を有することを特徴とする尺八風リコーダー。
【考案の詳細な説明】
【技術分野】
【０００１】  本考案は、ラビューム、ブロック、ウインドウエイなどからなる歌口を有する管楽器としてのリコーダーに関するものである。
【背景技術】
【０００２】  従来、ラビューム、ブロック、ウインドウエイなどからなる歌口を備えた管楽器としてのリコーダーが存在し、管楽器として使用されている。この歴史あるリコーダーにおいて、ウインドウエイなどの基本形状は殆ど改良されていないのが現状である。
【考案の開示】
【考案が解決しようとする課題】
【０００３】  従来のリコーダーにおいて、その歌口におけるウインドウエイの断面積は、口でくわえる側からラビューム側まで同一である場合が殆どである。ウインドウエイの断面積形状としては、縦幅が横幅に比べて狭く、またその長さは軸方向に比較的長い。このような形状のため、口から息を吹きつけるときに発せられる唾が詰まるなどの不具合があった。また、長いウインドウエイの形状によって雑音が生じやすいなどの不具合もあった。本考案の尺八風リコーダーでは、このような前述の欠点を解決しようとするものである。
【課題を解決するための手段】
【０００４】  本考案は、リコーダーにおける歌口において、ラビューム側と口でくわえる側のウインドウエイの断面積において、ウインドウエイの横幅が同一の場合、ウインドウエイの縦幅が、ラビューム側よりも口でくわえる側の縦幅が相対的に大きくなるようにし、楽器としての音発生用ウインドウエイの軸方向長さを必要最小限となるように比較的短く構成することによって、前記問題点を解決した。
【考案の効果】
【０００５】  次のような効果が期待できる。
楽器としての音発生用ウインドウエイの軸方向長さを必要最小限としたことによって、口から息を吹きつけるときに発せられる唾が詰まりにくくなる効果が期待できる。また詰まった場合でも、強めの息を吹きかけたり、強い音を出したりすることによって、詰まった唾を噴出させることも可能になる。また楽器としての音発生が、人の唇に近い必要最小限のウインドウエイによって行われるため、安定した均一な雑音の少ない音を出すことができるようになる。
【考案を実施するための最良の形態】
【０００６】  ラビューム、ブロック、ウインドウエイなどからなる歌口を有する管楽器としてのリコーダーにおいて、歌口におけるラビューム側と口でくわえる側のウインドウエイの断面積において、ウインドウエイの横幅が同一の場合、ウインドウエイの縦幅が、ラビューム側よりも口でくわえる側の縦幅が相対的に大きくなるようなブロックを調整構成配置する。（注：縦幅は図１、２において上下方向、横幅は奥行き前後方向）
【実施例】
【０００７】  以下、添付図面に従って実施例を説明する。
図１は、従来のラビューム２、ブロック３、ウインドウエイ４などからなる管楽器としてのリコーダーの歌口を示す断面図である。これに対して、本考案の図２の例は、従来の図１と異なり、ラビューム２、ブロック３、ウインドウエイ４などからなる歌口１を有する管楽器としてのリコーダーにおいて、歌口１におけるラビューム２側と口でくわえる側８のウインドウエイ４の断面積において、ウインドウエイ４の横幅が同一の場合、ウインドウエイ４の縦幅が、ラビューム２側よりも口でくわえる側８の縦幅が相対的に大きくなるようなブロック３を構成配置したことを特徴としている。そして、ラビューム２側のウインドウエイ４の軸方向の長さは、音発生が可能な必要最小限とし、具体的には人間の唇相当に設定するとよい。これに対して、くわえる側のウインドウエイ４は、図２ではブロック５で形成し、吹き付ける息をガイドするためのものとし、縦幅は相対的に大きめの設定している。この場合、息がスムースに入るように、図２に示すようにその形状に傾斜を付けても良い。ブロック３と５は、分離しても一体であっても良い。この歌口１と指孔７を付けた笛本体６の構成によってリコーダーとしての機能を持たせる。
図３は、図２の横笛への応用である。栓１０を設置することによって管端を塞ぎ、息吹き付け口９を設けることにより、横笛としての「しの笛風リコーダー」として使用することも出来る。この場合は、図２に対して、口でくわえる側８のウインドウエイ４が更に大きくなった例である。この例においても、音発生用のブロック３が配置されており、楽器としての音を確実に発生することが可能である。図３において、ブロック３と息吹き付け口９は、音発生が最良の円周位置を選定することが出来る。
【産業上の利用可能性】
【０００８】  管楽器分野のリコーダーとして利用できる。また、歌口の形状において、図２に示すように、口でくわえる部分の角面取りと顎当て部に傾斜を付けることによって、尺八風の雰囲気を醸し出し「尺八風リコーダー」として利用ことも可能である。さらに、図３に示すように、横笛としての「しの笛風リコーダー」としても利用できる。
【図面の簡単な説明】
【０００９】
【図１】従来の管楽器としてのリコーダーの歌口を示す断面図。
【図２】本考案の一実施例である尺八風リコーダーの断面図を示す。
【図３】本考案の一実施例であるしの笛風リコーダーの断面図を示す。
【符号の説明】
【０００１０】  １  歌口
２  ラビューム
３  ブロック
４  ウインドウエイ
５  ブロック
６  笛本体
７  指孔
８  口でくわえる側
９  息吹き付け口
１０  栓
【図１】
0003120720.tif 000003
【図２】
0003120720.tif 000004
【図３】
0003120720.tif 000005
(57)【要約】【課題】  本考案は、骨盤の歪みと背骨の歪みからくる不健康体の原因を解消し、上半身等の健康体を維持する為の骨盤と背骨のバランス矯正具を提供する。【解決手段】  本考案は、骨盤を矯正する為に骨盤バランスマットを設け、矯正座椅子本体の背あて部に凸付き背当てロールを設け背骨を正し、上半身の歪みを正し、身体の上半身を柔軟にするために矯正座椅子本体の左右に備えた肘掛け部を設けたことを特徴とする骨盤と背骨のバランス矯正具である。【選択図】図２
0003120713.tif 000002
【実用新案登録請求の範囲】
【請求項１】
矯正座椅子本体に太腿支え自在板を繋ぎ蝶番を設け上下動作するように設け、矯正座椅子本体に設けた支え抑え板に支え板角度孔を設け、支え抑え板に設けた支え板角度孔に支え板棒を設け太腿支え自在板を抑えるように設け、矯正座椅子本体にロール棒支え角度孔を設け、着脱可能な面ファスナーを設けた凸付き背当てロールを支える位置調整ロール支え棒を設け、ロール棒支え角度孔に位置調整ロール支え棒を支持するように設け、着脱可能な面ファスナーを設けた凸付き背当てロール位置を介在させるように設け、矯正座椅子本体にスライド式左手添え棒を設けた右手添え肘掛とスライド式右手添え棒設けた左手添え肘掛を設け、骨盤バランスマットにマット上部とマット下部を備え、矯正お尻定着孔を設けたことを特徴とする骨盤と背骨のバランス矯正具。
【考案の詳細な説明】
【技術分野】
【０００１】  この考案は、骨盤を矯正する為に骨盤バランスマットに座る事により骨盤を締め付けお尻を正しい形に矯正すると共に、凸付き背当てロールを利用して背骨を伸ばし背骨を正しく矯正し、また矯正座椅子本体に設けられている肘掛の効果を利用して、上半身を左右にねじるように軽い運動の動作をする事により、首筋から腰骨まで柔軟になりさらに背骨の歪みをやわらげるなどの効果を発揮するための骨盤と背骨のバランス矯正具に関するものである。
【背景技術】
【０００２】  従来、骨盤を矯正するにはコルセットなどを用いて矯正させていた。また背骨は背骨を伸ばす為の様々な弓なりの形状をした道具を用いて上向きに寝そべる姿勢の状態で背骨を伸ばしていた。またマッサージと併用したローラー付き等の高価な電動型椅子などを用いて背骨を伸ばしていた。
【考案の開示】
【考案が解決しようとする課題】
【０００３】  その為に、次のような問題点が合った。
骨盤矯正する為にコルセットなどで身体を固定する為、身体を思うように動かす事が出来ないため、立ち上がりや歩行に不便を要するなどの使用時の問題があった。また従来の背骨伸ばしの道具は弓なりの形状をした寝そべりタイプの道具の為に、寝そべるよう姿勢で行わなければ、使用出来にくい為使うときの場所（寝そべる事ができる環境）やスペース（一定の広さ）がなければ使用出来ないため、使うときに限られた条件を満たす所でなければ使用が出来にくい等の問題点があった。さらに、電動具型は高度なメカで作られているため価格も高価で安易に購入して使うとなると限られた購入者しか用いる事が出来にくいまた電気を使用するためコンセントの無い所では使えない等の不便さもあり、手軽に使う事が出来ない等の問題点があった。本考案は以上の問題点を解決する為になされたものである。
【課題を解決するための手段】
【０００４】  本考案は、骨盤を矯正する為に骨盤バランスマットを設け、矯正座椅子本体の背あて部に凸付き背当てロールを設け背骨を正し、上半身の歪みを正し、身体の上半身を柔軟にするために矯正座椅子本体の左右に備えた肘掛け部を設けたことにより問題点を解決した骨盤と背骨のバランス矯正具である。
【考案の効果】
【０００５】  矯正座椅子本体に座ると骨盤バランスマットに設けられている矯正お尻定着孔にお尻が安定された状態になり、自分の体重により骨盤バランスマット効果を発揮し、矯正座椅子本体の背当て部に添いながら背を後ろに海老ぞりし体重と足支えにより、矯正座椅子本体の背あて部に設けられている凸付き背当てロールの凸部が背骨を適度に指圧効果を発揮するまた矯正座椅子本体の左右に備えた肘掛け部を利用することにより容易に体をひねる動作ができるので、背筋を伸ばしながら正しい姿勢で効果的な身体のバランスをとる事ができる。
【考案を実施するための最良の形態】
【０００６】  以下本考案の実施の形態に付いて説明する。
（イ）矯正座椅子本体（１）に太腿支え自在板（２）を繋ぎ蝶番（３）（３）を設け上下動作するように設け、矯正座椅子本体（１）に設けた支え抑え板（４）（４）に支え板角度孔（６）（６）を設け、支え抑え板（４）（４）に設けた支え板角度孔（６）（６）に支え板棒（５）を設け、太腿支え自在板（２）を抑えるように設ける。
（ロ）矯正座椅子本体（１）にロール棒支え角度孔（１０）（１０）を設け、着脱可能な面ファスナー（８）（８）を設けた凸付き背当てロール（７）を支える位置調整ロール支え棒（９）を設け、ロール棒支え角度孔（１０）（１０）に位置調整ロール支え棒（９）を支持するように設け、着脱可能な面ファスナー（８）（８）を設けた凸付き背当てロール（７）の位置を介在させるように設ける。
（ハ）矯正座椅子本体（１）にスライド式左手添え棒（１３）を設けた右手添え肘掛（１１）とスライド式右手添え棒（１４）設けた左手添え肘掛（１２）を設ける。
（ニ）骨盤バランスマット（１５）にマット上部（１６）とマット下部（１７）を備え、矯正お尻定着孔（１８）を設ける。
本考案は、以上の構造でこれを使用するときは、矯正座椅子本体（１）に座り、足と太腿は太腿支え自在板（２）に添い支え抑え板（４）（４）を挟むように足を組むように座ると、骨盤バランスマット（１５）に設けられている矯正お尻定着孔（１８）にお尻が定着し安定され背筋を正した状態になり、自分の体重により骨盤バランスマット（１５）効果を発揮し骨盤が正しい形に矯正され、矯正座椅子本体（１）の背当て部に添いながら背を後ろに海老ぞりし体重と足支えにより、矯正座椅子本体（１）の背あて部に設けられている凸付き背当てロール（７）の凸部が背骨を適度に指圧効果を発揮し、右手添え肘掛（１１）の先端部に右手を添え、スライド式左手添え棒（１３）を左手で握るように掴み背筋を伸ばすように身体をひねり、同じように左手添え肘掛（１２）先端部に左手を添え、スライド式右手添え棒（１４）を右手で握るように掴み、背筋を伸ばすように身体をひねり、交合に運動動作を行い、柔軟な身体作りと正しい骨盤と背骨を保つように矯正し骨盤と背骨のバランスをとりを行う。
【図面の簡単な説明】
【０００７】
【図１】  本考案の斜視図
【図２】  本考案の状態を示す斜視図
【符号の説明】
【０００８】  １  矯正座椅子本体
２  太腿支え自在板
３  繋ぎ蝶番
４  支え抑え板
５  支え板棒
６  支え板角度孔
７  凸付き背当てロール
８  面ファスナー
９  位置調整ロール支え棒
１０  ロール棒支え角度孔
１１  右手添え肘掛
１２  左手添え肘掛
１３  スライド式左手添え棒
１４  スライド式右手添え棒
１５  骨盤バランスマット本体
１６  マット上部
１７  マット下部
１８  矯正お尻定着孔
【図１】
0003120713.tif 000003
【図２】
0003120713.tif 000004
(57)【要約】      （修正有）【課題】旧ＪＩＳ規格生徒机天板を新ＪＩＳ規格の天板に変更する場合、机そのものを廃棄して、新たに購入するか、天板を新ＪＩＳ規格サイズのものに交換する必要があった。しかし、この方法は、廃棄する必要の無い生徒机または旧ＪＩＳ規格天板を廃棄する問題があった。本考案の新ＪＩＳ規格修正天板を使用することによって、旧ＪＩＳ規格生徒机天板を廃棄することなく、新ＪＩＳ規格生徒机天板サイズに変更することができる。【解決手段】メラミン樹脂合板と側面に当たる積層合板によって構成される本体部分と、本体と旧ＪＩＳ規格天板を接合する金属板。【選択図】図１
0003120719.tif 000002
【実用新案登録請求の範囲】
【請求項１】
旧ＪＩＳ規格生徒机天板の上面及び側面によって構成される本体部分と生徒机天板と本体を接合する金属板
【考案の詳細な説明】
【考案の詳細な説明】
【産業上の利用分野】
【０００１】この考案は、旧ＪＩＳ規格生徒机天板の有効利用を図りつつ、新ＪＩＳ規格の天板に変更するためのものである。
【背景技術】
【０００２】旧ＪＩＳ規格生徒机天板を新ＪＩＳ規格の天板に変更する場合、天板そのものを新ＪＩＳ規格サイズのものに交換する必要があった。
【考案が解決しようとする課題】
【０００３】旧ＪＩＳ規格生徒机天板を新ＪＩＳ規格の天板に変更する場合、机そのものを廃棄して、新たに購入するか、天板を新ＪＩＳ規格サイズのものに交換する必要があった。しかし、この方法は、廃棄する必要の無い生徒机または旧ＪＩＳ規格天板を廃棄する問題があった。
【課題を解決するための手段】
【０００４】新ＪＩＳ規格サイズのメラミン樹脂合板と、側面に相当する積層合板を接合した本体を、旧ＪＩＳ規格生徒机天板に合体させ、裏面を金属板で接合する。
【作用】
【０００５】本考案を使用すると、旧ＪＩＳ規格生徒机を生かしながら、新ＪＩＳ規格天板に変更することができる。
【実施例】
【０００６】以下、本考案の実施例をのべる。
（イ）接着剤を塗布する。
（ロ）旧ＪＩＳ規格生徒机天板の上面に、本考案の新ＪＩＳ規格修正天板を上から被せる。
（ハ）（ロ）の状態の天板裏面の角４箇所に本考案金属板を木ねじで固定する。
【考案の効果】
【０００７】旧ＪＩＳ規格生徒机天板サイズを中空にすることによって、本考案の新ＪＩＳ規格修正天板と旧ＪＩＳ規格天板を隙間無く一体化し、裏側を本考案の金属板で接合することで、サイズ変更を可能にしたものである。本考案の新ＪＩＳ規格修正天板を使用することによって、旧ＪＩＳ規格生徒机天板を廃棄することなく、新ＪＩＳ規格生徒机天板サイズに変更することができる。
【図面の簡単な説明】
【図１】    本考案の新ＪＩＳ規格修正天板の分解斜視図
【図２】    本考案の新Ｊ１Ｓ規格修正天板を旧ＪＩＳ規格生徒机に被せた状態の斜視図
【図３】    本考案の新ＪＩＳ規格修正天板を旧ＪＩＳ規格生徒机に被せた状態を裏側から見た斜視図
【符号の説明】
１    メラミン樹脂合板
２    積層合板Ａ
３    積層合板Ｂ
４    金属板
【図１】
0003120719.tif 000003
【図２】
0003120719.tif 000004
【図３】
0003120719.tif 000005
(57)【要約】【課題】  従来の路面融雪装置では、既設の路面を解体してから新設工事をするため、多くの金額と工期が必要であり、降雪シーズンには設置できないという課題があった。【解決手段】  本考案の、路面を解体することなく、路面に簡単に電熱線を埋め込んだ簡易路面融雪装置により、工事費と工期を削減し、必要な場所に時期を問わず降雪シーズンでも設置できるようにして、課題を解決するものである。【選択図】図２
0003120718.tif 000002
【実用新案登録請求の範囲】
【請求項１】
既設路面に電熱線Ｄの厚みよりも広い幅の縦溝（以下、縦溝Ａ）を平行に複数掘り、この縦溝Ａに交差するように電熱線Ｄの厚みよりも広い幅の横溝（以下、横溝Ｂ）を掘り、この縦溝Ａと横溝Ｂの交点Ｃで電熱線Ｄを曲げることができる空間を確保し、これら縦溝Ａ、横溝Ｂ、交点Ｃの底の部分に電熱線Ｄを埋め込み、この埋め込んだ電熱線Ｄと溝の空間部分に充填材Ｅを充填したことを特徴とする簡易路面融雪装置。
【考案の詳細な説明】
【技術分野】
【０００１】この考案は、道路や駐車場の路面の融雪装置に関するものである。
【背景技術】
【０００２】  従来の技術は図１のごとく、路面構造体２に電熱線Ｄを敷設してから表面路面１を設置していた。このため、既設の路面に融雪装置を設置する場合は、まず既設の路面全体を解体してから、路面構造体２に電熱線Ｄを敷設して、さらに表面路面１を施工して路面全体を新設する必要があった。
【考案の開示】
【考案が解決しようとする課題】
【０００３】  しかしながらこの方法では、既設の路面を解体してから新設工事をするため、
▲１▼設置費用が高額である。
▲２▼工事期間が長い。
▲３▼降雪シーズンに設置できない。
という課題があった。
【課題を解決するための手段】
【０００４】  この問題を、既設路面に電熱線Ｄの厚みよりも広い幅の縦溝Ａを平行に複数掘り、この縦溝Ａに交差するように電熱線Ｄの厚みよりも広い幅の横溝Ｂを掘り、この縦溝Ａと横溝Ｂの交点Ｃに電熱線Ｄを曲げることができる空間を確保し、これら縦溝Ａ、横溝Ｂ、交点Ｃの底の部分に電熱線Ｄを埋め込み、この埋め込んだ電熱線Ｄと溝の空間部分に充填材Ｅを充填したことを特徴とする簡易路面融雪装置により、解決するものである。
【考案の効果】
【０００５】  本考案による簡易路面融雪装置を用いると、既設の路面に融雪装置を簡単に設置できるようになるので、既設の路面を解体する必要が無く、路面本体工事の必要も無く、工事も路面表面の工事であるので、降雪シーズンであっても除雪をするだけで簡易路面融雪装置を簡単に設置できるようになる。これにより、
▲１▼設置費用が大幅に減額される。
▲２▼工事期間が大幅に短縮される。
▲３▼降雪シーズン中にも設置できる。
従来の課題の全てを解決できるようになる。
【考案を実施するための最良の形態】
【０００６】  この問題を、既設路面に電熱線Ｄの厚みよりも広い幅の縦溝Ａを平行に複数掘り、この縦溝Ａに交差するように電熱線Ｄの厚みよりも広い幅の横溝Ｂを掘り、この縦溝Ａと横溝Ｂの交点Ｃに電熱線Ｄを曲げることができる空間を確保し、これら縦溝Ａ、横溝Ｂ、交点Ｃの底の部分に電熱線Ｄを埋め込み、この埋め込んだ電熱線Ｄと溝の空間部分に充填材Ｅを充填したことを特徴とする簡易路面融雪装置を設置する。
【実施例】
【０００７】  既設のアスファルト路面に道路工事で用いられる道路カッターにより、図２のように５ｍｍ幅で深さ３０ｍｍの縦溝Ａを２００ｍｍの間隔で平行に複数掘り、この縦溝Ａに交差するように６ｍｍ幅で深さ３０ｍｍの横溝Ｂを掘る。横溝を太くすることにより交点Ｃで厚さ４ｍｍの電熱線Ｄを曲げることができる空間を確保できるようになる。この縦溝Ａから電熱線Ａを埋め込み始め、横溝Ｂの交点Ｃで図４のように電熱線Ｄを曲げ、横溝Ｂに埋め込み、更に次の交点Ｃで曲げ、次の列の縦溝Ａに埋め込むようにして電熱線Ｄを連続して図２のように埋め込み、電熱線Ｄと溝の空間部分に図３のようにアスファルトによる充填材Ｅを充填した簡易路面融雪装置を設置する。この電熱線Ｄに通電することにより、路面上に積雪した雪を溶かすことができるようになる。
交点Ｃの空間の確保の方法としては電熱線Ｄの曲げ内径を削っても確保できる。
【産業用の利用の可能性】
【０００８】  本考案の簡易路面融雪装置により、雪国の道路、駐車場、階段、歩道などの融雪が既存部分を解体することなく、必要な部分にいつでも簡易路面融雪装置を簡単に設置することが出来るようになる。特に、雪国の凍結交通事故の多い日陰斜面の道路に簡易路面融雪装置を設置することにより、低額の予算で交通事故を防止することができるようになり、雪国での凍結路面での事故が減少し、住民生活の危険防止と安全が確保されるようになる。
また、簡易路面融雪装置は電熱線を使用しているので安定した電力を必要とせず、風力発電のように電圧や電流が不安定な電源であってもそれなりに活用することができるようになる。
さらに、深夜電力で夜間に融雪をすることにより維持費の削減と電力需要の平滑化もできるようになる。
【図面の簡単な説明】
【図１】「従来の路面融雪装置の断面図」
【図２】「簡易路面融雪装置の全体平面図」
【図３】「簡易路面融雪装置の溝断面の拡大図」
【図４】「簡易路面融雪装置の穴溝Ｃ部分の平面拡大図」
【符号の説明】
１  表面路面
２  路面構造体
Ａ  縦溝
Ｂ  横溝
Ｃ  交点
Ｄ  電熱線
Ｅ  充填材
【図１】
0003120718.tif 000003
【図２】
0003120718.tif 000004
【図３】
0003120718.tif 000005
【図４】
0003120718.tif 000006
(57)【要約】      （修正有）【課題】大量の雪をスノーダンプを使用して運搬する場合には、スコップなどを用いてスノーダンプに雪を収集するか、スノーダンプで直接、雪をすくって運搬する方法が用いられているが、雪を圧縮しないで運搬するため大量の雪をスノーダンプに入れるのは、困難であった。無理に大量の雪を乗せて運搬すると運搬の途中で雪がこぼれ落ちたりした。大量の雪をコンパクトに運搬しやすくするのが課題であった。【解決手段】四角い筒状の本体上部からスコップなどで雪を投げ入れる。５杯ほど入れると足で踏み固め４回ほど繰り返すことで固い雪のかたまりができる。本体にある取っ手をもって本体を抜き上げるとスノーダンプで運搬しやすい大きさの雪のかたまりができる。本体はプラスチックなどの滑りやすい素材を使用しているため、片手でも容易に抜き上げることができる。雪上での作業のため本体を固定する突起を底の四つ角にもうけることで、本体が安定する。【選択図】図２
0003120712.tif 000002
【実用新案登録請求の範囲】
【請求項１】
本体は、前後左右の平行な補助板で構成された四角い筒状の雪圧縮補助具。
【請求項２】
本体は、圧縮された雪が抜き出しやすい素材を補助面に用いた事を特徴とする１項記載の雪圧縮補助具。
【請求項３】
本体は、上に抜き出すため、補助板上部に取っ手が２箇所設けられていることを特徴とする１項記載の雪圧縮補助具。
【請求項４】
本体は、雪を投げ入れる際に本体を雪上に固定する、底の四つ角に突起がついていることを特徴とする１項記載の雪圧縮補助具。
【考案の詳細な説明】
【技術分野】
【０００１】本考案は、雪をスピーディーに運搬する雪運搬に関するものである。
【背景技術】
【０００２】従来の雪運搬には圧縮してから運搬するという発想の用具がなかった。
【背景の開示】
【背景が解決しようとする課題】
【０００３】大量の雪を小さく圧縮する際に、容易に圧縮が可能な補助具であること。
【課題を解決するための手段】
【０００４】４枚の補助板から構成される筒状の補助具に雪をスコップなどで投げ入れ、足で踏み固めることを繰り返し、雪を圧縮する。
【０００５】圧縮された雪を補助具から抜き出しやすいように補助具の側面には取っ手をつけた。
【考案の効果】
【０００６】約２分の１から３分の１ほど小さく圧縮してから雪を運ぶことで運搬回数が大幅に削減され、時間も短縮される、小さく圧縮されることで排雪場所が小さくて済む。
【考案を実施するための最良の形態】
【０００７】［図１］に示すように取っ手の付いた四角い筒状で、底の四つ角に突起があること。
【図面の簡単な説明】
【０００８】
【図１】本発明の雪圧縮補助具の実施形態を示す。
【図２】本発明の雪圧縮補助具の圧縮方法を示す。
【図３】本発明の雪圧縮補助具の抜き出し状態を示す。
【符号の説明】
【０００９】１  滑りの良い素材の補助板
２  抜き出し用取っ手
３  突起
【図１】
0003120712.tif 000003
【図２】
0003120712.tif 000004
【図３】
0003120712.tif 000005
(57)【要約】【課題】アンテナを平面状のケースの中に収納して写真を入れられるようにする。このとき内部ブラケットの重量を軽くし、材料を節約しアンテナの重量を軽くするようにする。【解決手段】  本体ベースの中にループのＵＨＦアンテナを収納して内部の格子状ブラケット３で写真２を抑え、外部の透明ケース１に密着させる、ＶＨＦのロッドアンテナはスタンド部分に取り付けできるようにする。テレビへの接続は細い同軸ケーブルを使用することにより扱いやすく、目立たないようにする。内部のブラケットは格子状にして重量と材料を節約する、格子状ブラケットは写真を透明ケースに密着させるだけでよいので格子状、軽量でも十分機能を果たせる。【選択図】図１
0003120711.tif 000002
【実用新案登録請求の範囲】
【請求項１】
室内アンテナ内部のブラケットと透明の外部ケースの間に写真を入れられるようにした室内アンテナ兼写真入れ
【請求項２】
内部ブラケットの形状を格子にして重量を軽く、使用材料を節約した請求項１の室内アンテナ兼写真入れ
【考案の詳細な説明】
【考案の詳細な説明】
【技術分野】
【０００１】この発明は室内アンテナの機能をそのままに写真を入れられるようにしたものである。
【背景技術】
【０００２】現在、室内アンテナは電波を受けるためＵＨＦとＶＨＦの二つのアンテナを装備しているＵＨＦは円形、ＶＨＦはロッドアンテナである。
地上波デジタル放送では電波の性質上アンテナの簡易化が出来、ＵＨＦのアンテナをケースの中に収納も可能である。
【考案の開示】
【考案が解決しようとする課題】
【０００３】アンテナを平面状のケースの中に収納して写真を入れられるようにする。
このとき内部ブラケットの重量を軽くし、材料を節約しアンテナの重量を軽くするようにする。
【課題を解決するための手段】
【０００４】本体ベースの中にループのＵＨＦアンテナを収納して内部の格子状ブラケット３で写真２を抑え、外部の透明ケース１に密着させる、ＶＨＦのロッドアンテナはスタンド４部分に取り付けできるようにする。
テレビへの接続は細い同軸ケーブルを使用することにより扱いやすく、目立たないようにする。
内部のブラケットは格子状にして重量と材料を節約する、格子状ブラケットは写真を透明ケースに密着させるだけでよいので格子状、軽量でも十分機能を果たせる。
【考案の効果】
【０００５】写真を入れ替えて楽しめる。
アンテナが室内装飾品となり部屋に置いても違和感が無くなる。
テレビの上に置いても、壁に掛けても有効である。
ＵＨＦのループアンテナは表面、裏面どちらからでも電波を受けられ、設置しやすい。
【図面の簡単な説明】
【図１】  本発明の斜視図
【符号の説明】
１、透明ケース  ２、写真  ３．格子状ブラケット  ４、スタンド兼壁掛け金具
【図１】
0003120711.tif 000003
(57)【要約】【課題】この考案は、漢方食材である蓮の実を原料とした餡を製造することにより、和菓子等を楽しむ場合においても漢方食材の利点を活用しようとするものである。【解決手段】蓮の実を餡にすることにより製造した食品である。【選択図】図１
0003120717.tif 000002
【実用新案登録請求の範囲】
【請求項１】
蓮の実を餡にしたことを特徴とする羊羹類。
【請求項２】
蓮の実を餡にしたことを特徴とする大福及び饅頭類。
【請求項３】
蓮の実を餡にしたことを特徴とするおはぎ類。
【請求項４】
蓮の実を餡にしたことを特徴とするアンパン類。
【考案の詳細な説明】
【技術分野】
【０００１】この考案は、日本で今まで食材としてあまり知られていない漢方食材である蓮の実を、和菓子等に広く利用される餡の原料として製造した食品である。
【背景技術】
【０００２】餡には加工程度により生餡、練り餡、乾燥餡があり、原料等により小豆餡、赤餡、白餡、かぼちゃ餡、栗餡、芋餡等があり、製造方法によりこしあん、つぶし餡、煮崩し餡、粒餡等があり、また、砂糖使用量による練り餡の種類としては並餡、中割り強餡、上割り強餡等があるが、従来、これらの餡にゆず、胡桃、栗及び蓮の実等を混入したものはあったが、蓮の実を原料として製造された餡はなかった。【０００３】蓮は、種子の皮付きを蓮実（れんじつ）、皮を捨て去って種子を乾燥させたものを蓮肉（れんにく）、蓮子（れんし）、幼芽を蓮心（れんしん）、種皮を蓮衣（れんい）、葉を荷葉（かよう）、葉の基部を荷葉蔕（かようてい）、葉柄（ようへい）および花柄（かへい）を荷梗（かこう）、花のつぼみを蓮房（れんぼう）、オシベを蓮鬚（れんしゅ）、根茎を藕（ぐう）、根茎の節を藕節（ぐうせつ）、でんぷんを藕粉（ぐうふん）といって中国ではすべて薬用に用いられている。
また、中国では蓮の種子は強壮、止瀉（ししゃ）、鎮静、健胃、多夢、遺精、下痢、腰気、鼻咽がんを抑制するとして利用され、きのこ中毒の解毒にも用いられている。
【考案の開示】
【考案が解決しようとする課題】
【０００４】この考案は、わが国に旧来より広く普及している和菓子等には餡を利用したものが多く、餡を漢方食材である蓮の実を原料として製造することにより、和菓子等を楽しみながら漢方食材の利点を活用しようとするものである。
【課題を解決するための手段】
【０００５】（イ）蓮の実を炊き上げ、砂糖、水飴等を加えて練り上げ餡を作る。
（ロ）粉末にした蓮の実を炊き上げ、砂糖、水飴等を加えて練り上げ餡を作る。
本考案は、以上の構成のいづれかからなる蓮の実を餡にしたことを特徴とする食品である。
【考案の効果】
【０００６】以上述べたように、本考案により蓮の実を餡にすることにより、蓮の実の独特の爽やかな風味を味わうことができ、同時に漢方食材の利点も活用することができる。
【実施例】
【０００７】以下、実施例により本考案の実施様態を具体的に説明する。ただし、本考案はこれらの実施例にその技術範囲が限定されるものではない。【０００８】蓮の実を炊き上げ、砂糖、水飴等を加えて練り上げ餡を作る。
この餡の中に寒天を加え再度練り込み成型し、羊羹を製造する。図１に本実施例を示す。【０００９】蓮の実を炊き上げ、砂糖、水飴等を加えて練り上げ餡を作る。
この餡を大福の皮に包み、大福を製造する。図２に本実施例を示す。【００１０】蓮の実を炊き上げ、砂糖、水飴等を加えて練り上げ餡を作る。
この餡でご飯を団子状にしたものの回りを包み、おはぎを製造する。図３に本実施例を示す。【００１１】蓮の実を炊き上げ、砂糖、水飴等を加えて練り上げ餡を作る。
この餡をパン生地で包み焼き上げて、アンパンを製造する。図４に本実施例を示す。
【産業上の利用可能性】
【００１２】餡を漢方食材である蓮の実で製造することにより、漢方食材の利点を活用でき、安価で且つ簡単に製造することができる特性を併せ持つ食品である。
【図面の簡単な説明】
【００１３】
【図１】本考案の羊羹における実施例を示した立面図である。
【図２】本考案の大福における実施例を示した立面図である。
【図３】本考案のおはぎにおける実施例を示した立面図である。
【図４】本考案のアンパンにおける実施例を示した立面図である。
【符合の説明】
【００１４】１  蓮の実で製造した餡
２  羊羹
３  大福の皮
４  ごはん
５  パン
【図１】
0003120717.tif 000003
【図２】
0003120717.tif 000004
【図３】
0003120717.tif 000005
【図４】
0003120717.tif 000006
(57)【要約】      （修正有）【課題】お手軽に、かつ、簡単に、ＥＴＣを利用可能にする。【解決手段】携帯電話本体１に、通話，メール，ウェブ，一般サイト用途の通常のアンテナ２と別に、ＥＴＣアンテナ３、ＥＴＣ転送アンテナ４を装備することで、通話を中断せず、ＥＴＣ使用を可能とする。ＥＴＣ料金所のセンサーがＥＴＣアンテナ３に反応し、ＥＴＣゲートが開くという流れとＥＴＣ転送アンテナ４を介し、料金情報を電話会社へ転送するという流れとが、同時進行するものである。料金は、電話会社が立て替え、立て替え分は、後日、電話使用料金とともに同じ口座から引き落としとなる。但し、本システムは、携帯電話にハンズフリー端子をセットすることにより機能する。【選択図】図２
0003120544.tif 000002
【実用新案登録請求の範囲】
【請求項１】
本考案は、電話，メール，ウェブ，一般サイト用途の通常のアンテナとは別に、ＥＴＣアンテナ、および、ＥＴＣ転送アンテナを装備する、独自のシステムを搭載する。
そのシステムとは、ＥＴＣ料金所のセンサーがＥＴＣアンテナに反応し、ＥＴＣゲートが開くという流れとＥＴＣ転送アンテナを介し、料金情報を電話会社へ転送するという流れとが、同時進行するものである。
【請求項２】
本考案のシステムは、携帯電話がハンズフリー状態でのみ機能する。
【考案の詳細な説明】
【技術分野】
【０００１】本考案は、携帯電話を持っているだけで、お手軽、簡単に、ＥＴＣを利用可能にしたものである。
【背景技術】
【０００２】現在、携帯電話とＥＴＣ、両者を融合させたものはない。
【考案の開示】
【考案が解決しようとする課題】
【０００３】ＥＴＣを利用するには、車内への機器設置の配線工事、及び、ＥＴＣカードの発行手続きが必要となり、手間がかかるという問題点がある。
【課題を解決するための手段】
【０００４】携帯電話本体１に、通話，メール，ウェブ，一般サイト用途の通常のアンテナ２と別に、ＥＴＣ料金所エリアでのみ機能する、ＥＴＣアンテナ３、その料金情報を電話会社へ転送する、ＥＴＣ転送アンテナ４を搭載することで、車内への機器設置の配線工事、および、ＥＴＣカード発行手続きを不要とし、お手軽、簡単に、ＥＴＣを利用可能にする。
料金は、電話会社が立て替え、立て替え分は、後日、電話使用料金とともに同じ口座から引き落としとなる。
但し、ＥＴＣは、携帯電話にハンズフリー端子をセットすることにより、機能する。
【考案の効果】
【０００５】（１）本携帯電話は、通話，メール，ウェブ，一般サイト用途の通常のアンテナ２と別に、ＥＴＣアンテナ３、ＥＴＣ転送アンテナ４を装備することで、通話を中断せず、ＥＴＣ使用を可能とする。
（２）本携帯電話内蔵のＥＴＣは、ハンズフリー状態で機能するため、車を運転しながらの携帯電話使用者の減少とともに、交通事故減少が期待できる。
（３）同乗者が本携帯電話を持つ場合、ハンズフリーにする必要のある者、つまり、運転者にのみ料金請求されるため、誤って、同乗者に請求されるおそれがない。
（４）本携帯電話内蔵のＥＴＣは、自動電源ＯＮ／ＯＦＦ機能を搭載する。
ＥＴＣアンテナ３は、ＥＴＣ料金所内のセンサーに反応することで機能し、料金所外では機能しないため、省エネにもなる。
【実施例１】
【０００６】携帯電話本体１に、独自のシステムを搭載する。
以下、本システムについて説明する。
ＥＴＣ料金所のセンサーがＥＴＣアンテナ３に反応し、ＥＴＣゲートが開くという流れとＥＴＣ転送アンテナ４を介し、料金情報を電話会社へ転送するという流れとが、同時進行するものである。
料金は、電話会社が立て替え、立て替え分は、後日、電話使用料金とともに同じ口座から引き落としとなる。
【図面の簡単な説明】
【０００７】
【図１】  ＥＴＣ内蔵携帯電話のイメージ図である。
【図２】  本考案のシステムのフロー図である。
【符号の説明】
【０００８】１  携帯電話本体
２  通常のアンテナ
３  ＥＴＣアンテナ
４  ＥＴＣ転送アンテナ
【図１】
0003120544.tif 000003
【図２】
0003120544.tif 000004
【手続補正書】
【提出日】平成17年12月11日(2005.12.11)
【手続補正１】
【補正対象書類名】実用新案登録請求の範囲
【補正対象項目名】全文
【補正方法】変更
【補正の内容】
【実用新案登録請求の範囲】
【請求項１】
本考案は、電話，メール，ウェブ，一般サイト用途の通常のアンテナとは別に、
（１）高速道路利用時、ＥＴＣ料金所エリアで料金情報を受信すると、料金の立て替えと立て替え分を記憶する基板を有するＥＴＣアンテナ、
（２）さらに、記憶された立て替え分をＥＴＣ料金所通過ごとに、電話会社へ転送するためのＥＴＣ転送アンテナ、
という上記の構成からなるＥＴＣ内蔵携帯電話である。
【請求項２】
通常のアンテナとは別に、ＥＴＣアンテナ、ＥＴＣ転送アンテナを有する請求項１記載のＥＴＣ内蔵携帯電話は、
（１）同乗者がＥＴＣ内蔵携帯電話を所持する場合での同乗者への高速料金誤請求防止、
（２）運転者の運転中での携帯電話使用による事故防止、
以上目的として、ハンズフリー状態であることを以って、ＥＴＣの利用を可能とする。
(57)【要約】      （修正有）【課題】打撃力を分断することなく伝達し、打撃効果を高める複合材のバットを提供する。      【解決手段】複合材のバット１は、中空のバットで、バット本体２内部にバネ５を嵌入する。このバネとバット本体はしっかり嵌りながら接触しない状態を形成し、球がバットに当たった瞬間、バネが変形してエネルギーの伝達を分断することがない。バネが変形することによって、発生した反発力は球を更に遠くへ飛ばし、打撃効果を高める。【選択図】図３
0003120542.tif 000002
【実用新案登録請求の範囲】
【請求項１】
中空のバットで、バット本体の上下にそれぞれ頭部及び末端部を設置する複合材のバットにおいて、
バット本体の内部に外径がバット本体内径に等しいバネを嵌入し、且つバネとバット本体内壁はしっかり嵌りながら接触しない状態を形成することを特徴とする複合材のバット。
【請求項２】
中空のバットで、バット本体の上下にそれぞれ頭部及び末端部を設置する複合材のバットにおいて、
バット本体の内部にバネを嵌入し、バネ及びバット本体内壁の間に中間層を被せ、且つバット本体の内壁、中間層及びバネはしっかり嵌りながら接触しない状態を形成することを特徴とする複合材のバット。
【考案の詳細な説明】
【技術分野】
【０００１】
本考案は、複合材のバットに関するもので、打撃力を分断することなく伝達し、打撃効果を高める構造である。
【背景技術】
【０００２】
健康な体でいるためには、食事に注意を払う以外に、運動をすることが大切である。様々な運動の中でも、野球は広く受け入れられているスポーツであるが、プロ野球選手の場合、木製バットを使用することが定められ、打撃力は選手自身の技術と力の大きさによって決まる。しかし、アマチュアの選手は、アルミ製もしくは複合材のバットを使用してもよいことになっている。アルミ製のバットは、アルミ材を一体成型し、中が空洞であるため、反発係数が高く、反発係数が高ければ高いほど、反発力は高まる。アルミ製のバットは弾力性が高いため、球を遠くまで飛ばすことができるが、耐性が弱く、速球を打つと、大きな力を受けて、凹んでしまう。その凹んだバットを使用し、その凹んだ箇所に球が当たると、飛ぶ方向が不確実になってしまう。
別に複合材のバットに関しては、図１、２に示すとおり、中空のバットで、複合材料を織り編みした繊維帯を芯に巻きつけている。金型に空気を入れ、加熱して加圧成型する。図に示すとおり、単一層の構造で、バット本体１の硬度が向上する反面、反発係数がアルミ製より下がる。打撃による凹みの確立は下がるものの、弾力がアルミ製より劣るため、飛行距離は短くなり、打撃効果が下がってしまう。更に、硬度が高くなる分、衝撃が大きすぎた場合、亀裂現象が発生する。
【考案の開示】
【考案が解決しようとする課題】
【０００３】
解決しようとする問題点は、複合材のものは硬度がアルミ製より高いものの、反発係数が落ちて打撃効果が下がり、且つ打撃力が強力な場合、折れてしまうこともある点である。
【課題を解決するための手段】
【０００４】
本考案は、中空のバットで、バット本体内部にバネを嵌入する。このバネとバット本体はしっかり嵌りながら接触しない状態を形成し、球がバットに当たった瞬間、バネが変形してエネルギーの伝達を分断することがない。バネが変形することによって、発生した反発力は球を更に遠くへ飛ばし、打撃効果を高めることを最も主要な特徴とする。
【考案の効果】
【０００５】
本考案の複合材のバットは、打撃力を分断することなく伝達し、打撃効果を高めるという利点がある。
【考案を実施するための最良の形態】
【０００６】
以下、本考案の実施例について、図面を参照しながら説明する。
【実施例１】
【０００７】
図３，４に示すとおり、本考案は、バット本体２、頭部３、末端部４及びバネ５から構成される。そのうち、バネ５はコイル状バネで、その外径は、バット本体２の内径に相当する。各部品をそれぞれ成形した後、図５に示すとおり、バネ５が引っ張られて外径が縮小し、バット本体２の中空箇所にスムーズに納置する。またバット本体２内部に入れると、バネ５は弾力を回復して形状が渦巻き状に戻り、図４に示すとおり、バット本体２の内壁にしっかり嵌りながら、接触はしていない状態になる。バット本体２は、上方が同じ外径が一定の長さがあり、その後は、下に向かうにつれて外径が小さくなり、このため、バネ５の下方は係止状態を形成する。次に頭部３及び末端部４を各々バット本体２の上側及び下側に設置し、バットの組立が完成する。バネ５の上方は頭部３が入ることによって、バット本体２内部の比較的小さい外径の凸管に押さえられ、バネ５を定位させて上下に動かないようにする。
【０００８】
本考案のバットは、バット本体２の内部にしっかりと嵌りながら、接触しないバネ５が嵌めこまれるため、球がバットに当たった瞬間、バネ５はその衝撃力を受けて変形し、エネルギーの伝達を妨げない。そのため、バネの変形によって反発力が発生し、硬度が高くなるだけでなく、同時に反発係数も高め、球を遠くへ飛ばす効果を具える。
【実施例２】
【０００９】
図６に示すとおり、バット本体２とバネ５の間に、更にプラスチック材の中間層６を被せる。テストにより、その厚みは０．２ｍｍ〜０．５ｍｍが最も適する。更にバット本体２の内壁、中間層６及びバネは、しっかり嵌りながら接触しない状態で、これによって球を打った瞬間、中間層６及びバネ５が衝撃を受けて変形し、エネルギーの伝達を中断することない。そして中間層６及びバネ５の変形によって反発力が発生し、硬度が向上するだけでなく、同時に反発係数を高め、球を遠くへ飛ばす効果を具える。
【図面の簡単な説明】
【００１０】
【図１】公知の複合材のバット立体図である。
【図２】公知の複合材のバット断面図である。
【図３】本考案実施例の分解図である。
【図４】本考案実施例の断面図である。
【図５】本考案バネが嵌入された状態指示図である。
【図６】本考案別の実施例の断面図である。
【符号の説明】
【００１１】
１  バット
２  バット本体
３  頭部
４  末端部
５  バネ
６  中間層
【図１】
0003120542.tif 000003
【図２】
0003120542.tif 000004
【図３】
0003120542.tif 000005
【図４】
0003120542.tif 000006
【図５】
0003120542.tif 000007
【図６】
0003120542.tif 000008
(57)【要約】【課題】  雨水を下水に排水していたが、有効利用できる様にする。【解決手段】  雨水の流路を変える、じゃま板３と、出口バルブ４を備えた、雨水取り出し器具本体２を、既設の雨樋垂直部１に取り付け、雨水の利用、排水を、任意に変えられる様にした。【選択図】  図１
0003120543.tif 000002
【実用新案登録請求の範囲】
【請求項１】
雨水の流路を変える、じゃま板と、出口バルブを備え、雨桶垂直部に挿入接続して使用する、雨水取り出し器具。
【考案の詳細な説明】
【技術分野】
【０００１】  本考案は、雨桶垂直部に取り付ける雨水取り出し器具に関する。【０００２】  従来、雨水は雨桶を通って、下水へ排水していた。
【考案の開示】
【考案が解決しようとする課題】
【０００３】  雨水を下水へ排水するだけで、雨水の有効利用はなされていなかった。
【考案が解決するための手段】
【０００４】  本考案は、既設の雨樋垂直部に雨水の流路を変える、じゃま板と出口バルブを備えた器具を取り付ける事により、雨水の利用、排水を任意に変えられるようにした。
【考案の効果】
【０００５】  雨水取り出し器具を、取り付ける事により、雨水を容器に貯蔵することができ、後に菜園や植木鉢への散水や、洗物に利用する事ができる。
【考案を実施するための最良の形態】
【０００６】  本考案に係る雨水取り出し器具本体２は、既設の雨桶垂直部１を定寸に切断して挿入接続できる構造になっている。
器具は、雨水の流路を変える、じゃま板３と、出口バルブ４を備えており、雨水の利用、排水は出口バルブの、開閉で行なう事ができる。
【図面の簡単な説明】
【０００７】
【図１】  本考案に係る、雨水取り出し器具の、出口バルブを開にした、雨水利用状態を示す、断面図である。
【図２】  本考案に係る、雨水取り出し器具の、出口バルブを閉にした、雨水排水状態を示す、断面図である。
【符号の説明】
【０００８】    １  既設の雨樋垂直部
２  雨水取り出し器具本体
３  じゃま板
４  出口バルブ
５  雨水の流路
【図１】
0003120543.tif 000003
【図２】
0003120543.tif 000004